(57)【要約】【課題】  スイッチバック時に排出されてきた用紙に手が触れることを確実に防止する。【解決手段】  スイッチバック時の用紙Ｓの一時的排出時において、当該用紙Ｓの少なくとも一部分（排出口１１５から排出されている部分）を遮蔽する遮蔽機構を備える。この遮蔽機構は、具体的には遮蔽部６００に示すように、回転トレイ６１０（用紙排出トレイ１０８）を排出口１１５の位置まで上昇させ、この回転トレイ６１０の裏面空間部６０３へ用紙Ｓを一時的に排出させるものである。その他、例えば排出口１１５の上方に常時退避している所定のトレイ体を排出口１１５の位置まで下降させ、このトレイ体の裏面空間部へ用紙Ｓを一時的に排出させる構成を有した遮蔽機構としてもよい。【選択図】  図４
2006069693.tif 000002
【特許請求の範囲】
【請求項１】
用紙を反転させるべく該用紙を一時的に排出口の外に排出してスイッチバックを行うスイッチバック機構を備えた画像形成装置であって、
前記用紙の一時的排出時において、当該用紙の少なくとも一部分を遮蔽する遮蔽機構を備えることを特徴とする画像形成装置。
【請求項２】
前記排出口から排出された用紙を載置する排出トレイをさらに備え、
前記遮蔽機構は、排出トレイを排出口の位置まで上昇させ、該排出トレイの裏面空間へ用紙を一時的に排出させる機構であることを特徴とする請求項１記載の画像形成装置。
【請求項３】
前記遮蔽機構は、排出トレイにおける排出口と反対側の端部を回転自在に軸支し、排出トレイに下方から当接させた所定のカム体を回転させることにより当該排出トレイを前記端部を支点として回動させて持ち上げる機構であることを特徴とする請求項２記載の画像形成装置。
【請求項４】
前記遮蔽機構は、排出トレイにおける排出口と反対側の端部を回転自在に軸支し、当該軸支部を所定のギア機構を用いて回転させることにより排出トレイを前記端部を支点として回動させて持ち上げる機構であることを特徴とする請求項２記載の画像形成装置。
【請求項５】
前記遮蔽機構は、前記排出口の上方に常時退避している所定のトレイ体を排出口の位置まで下降させ、該トレイ体の裏面空間へ用紙を一時的に排出させる機構であることを特徴とする請求項１記載の画像形成装置。
【請求項６】
前記遮蔽機構は、前記トレイ体における排出口と反対側の端部を回転自在に軸支するとともに、当該トレイ体を上方へ向けて所定の付勢手段によって付勢することにより常時退避させた状態とする機構であって、
所定の引張駆動手段を用いて前記付勢に抗してトレイ体を引っ張ることにより、当該トレイ体を前記端部を支点として回動させて引き下げる機構であることを特徴とする請求項５記載の画像形成装置。
【請求項７】
前記遮蔽機構は、装置内に常時退避している所定のガード体を、排出口の側方に突出させる機構であることを特徴とする請求項１記載の画像形成装置。
【請求項８】
前記遮蔽機構は、前記ガード体に設けられたラックと噛合するピニオンを回転駆動させることにより当該ガード体を押し出す機構であることを特徴とする請求項７記載の画像形成装置。
【請求項９】
前記遮蔽機構は、排出口における排出ローラを回転駆動させる駆動力の前記ピニオンに対する伝達／非伝達を切り替えるクラッチを備えることを特徴とする請求項８記載の画像形成装置。
【請求項１０】
前記遮蔽機構は、前記ガード体に所定の回転体を圧接させ、該回転体を回転駆動させることにより当該ガード体を押し出す機構であることを特徴とする請求項７記載の画像形成装置。
【請求項１１】
前記回転体は、排出口における排出ローラを回転駆動させる駆動力によって回転されるよう構成されており、
前記遮蔽機構は、所定の付勢手段によってガード体外へ向けて付勢される前記回転体を、ガード体に圧接させるべく当該付勢に抗して引っ張るソレノイドを備えることを特徴とする請求項１０記載の画像形成装置。
【請求項１２】
前記画像形成装置は、用紙が排出される排出トレイの下部に所定の空間部を有し、且つ当該空間部に装置を冷却するための冷却風が導入されるよう構成されたものであって、
前記遮蔽機構は、前記空間部内に一時的に用紙を排出することによりスイッチバックを行うスイッチバック機構であることを特徴とする請求項１記載の画像形成装置。
【発明の詳細な説明】
【技術分野】
【０００１】
本発明は、複写機等の画像形成装置に関し、特に、両面印刷を行うべく用紙の反転を行うスイッチバック機構を備えた画像形成装置に関するものである。
【背景技術】
【０００２】
従来、複写機等の画像形成装置においては、例えば用紙に対する両面印刷（印字）を行うべく用紙搬送中に、用紙を反転させる、すなわち用紙の一端側を装置外へ送り出し再び装置内へ引き戻すという方法で反転させるスイッチバック機構を備えたものが知られている。これに関し、例えば特許文献１では、両面印刷における１面目の印刷を終えた用紙を反転させて再度画像形成部に給送するための用紙搬送手段を、画像形成部の上部に着脱可能に配置させることにより、用紙搬送手段の小型化を図り、用紙搬送路を短くしてジャムを発生させ難くさせるといった技術が開示されている。
【０００３】
また、特許文献２では、送られてくるシート材を逆送する逆送ローラと、この逆送ローラよりも上流側にあって送られてくるシート材及び逆送されるシート材を案内する切換手段とを有し、この切換手段による切換動作に伴って逆送ローラによるシート材搬送力を調整するように構成することで、従来のローラを正逆回転させるための複雑な機構を備えることなく、低コストなシート材反転搬送装置を得るといった技術が開示されている。
【特許文献１】特開平６−１５８９６号公報
【特許文献２】特開平９−２６７９６１号公報
【発明の開示】
【発明が解決しようとする課題】
【０００４】
しかしながら、上記何れの場合にも、スイッチバックが行われている際の用紙にユーザが手で触れることができる。すなわち、両面印刷を行うべくスイッチバックさせるために装置外へ一旦搬出されてきた用紙であるのか、或いは通常の片面印刷を終えて排出されてきた用紙であるのかが区別し難く、スイッチバックにより装置外へ搬出されてきた用紙に間違って触れて（引っ張って）しまうことがあり、その結果、ジャム等が発生するという問題があった。
【０００５】
本発明は上記事情に鑑みてなされたもので、スイッチバック時に排出口から一時的に排出されてきた用紙に、ユーザが間違って触れてしまいジャム等が発生するといったことを確実に防止することが可能な画像形成装置を提供することを目的とする。
【課題を解決するための手段】
【０００６】
本発明の請求項１に係る画像形成装置は、用紙を反転させるべく該用紙を一時的に排出口の外に排出してスイッチバックを行うスイッチバック機構を備えた画像形成装置であって、前記用紙の一時的排出時において、当該用紙の少なくとも一部分を遮蔽する遮蔽機構を備えることを特徴とする。
【０００７】
上記構成によれば、画像形成装置は、用紙を反転させるべく該用紙を一時的に排出口の外に排出してスイッチバックを行うスイッチバック機構を備えたものとされ、当該用紙の一時的排出時においてこの用紙の少なくとも一部分（用紙における排出口から排出されている部分）が遮蔽機構によって遮蔽される、換言すれば覆い隠されるため、ユーザがスイッチバック時に排出口から一時的に排出されてきた用紙に間違って触れてしまい、ジャム等が発生するといったことを確実に防止することができる。
【０００８】
請求項２に係る画像形成装置は、請求項１において、前記排出口から排出された用紙を載置する排出トレイをさらに備え、前記遮蔽機構は、排出トレイを排出口の位置まで上昇させ、該排出トレイの裏面空間へ用紙を一時的に排出させる機構であることを特徴とする。この構成によれば、遮蔽機構によって、排出トレイが排出口の位置まで上昇されて当該
排出トレイの裏面空間（下方空間）へ用紙が一時的に排出されるため、排出トレイを排出口の位置まで上昇させてその裏面空間に用紙排出を行うという簡易な構成で、当該排出トレイにより用紙を遮蔽することができる。
【０００９】
請求項３に係る画像形成装置は、請求項２において、前記遮蔽機構は、排出トレイにおける排出口と反対側の端部を回転自在に軸支し、排出トレイに下方から当接させた所定のカム体を回転させることにより当該排出トレイを前記端部を支点として回動させて持ち上げる機構であることを特徴とする。この構成によれば、排出口と反対側の端部が回転自在に軸支された排出トレイが、下方から当接されたカム体の回転に応じて端部を支点として回動して持ち上げられるため、排出トレイを持ち上げる機構を簡易な構成で実現できる。
【００１０】
請求項４に係る画像形成装置は、請求項２において、前記遮蔽機構は、排出トレイにおける排出口と反対側の端部を回転自在に軸支し、当該軸支部を所定のギア機構を用いて回転させることにより排出トレイを前記端部を支点として回動させて持ち上げる機構であることを特徴とする。この構成によれば、排出口と反対側の端部が回転自在に軸支された排出トレイが、ギア機構を用いた軸支部の回転に応じて端部を支点として回動して持ち上げられるため、排出トレイを持ち上げる機構を簡易な構成で実現できる。
【００１１】
請求項５に係る画像形成装置は、請求項１において、前記遮蔽機構は、前記排出口の上方に常時退避している所定のトレイ体を排出口の位置まで下降させ、該トレイ体の裏面空間へ用紙を一時的に排出させる機構であることを特徴とする。この構成によれば、遮蔽機構によって、トレイ体が排出口の位置まで下降されて当該トレイ体の裏面空間（下方空間）へ用紙が一時的に排出されるため、トレイ体を排出口の位置まで下降させてその裏面空間に用紙排出を行うという簡易な構成において、当該トレイ体により用紙を遮蔽することができる。
【００１２】
請求項６に係る画像形成装置は、請求項５において、前記遮蔽機構は、前記トレイ体における排出口と反対側の端部を回転自在に軸支するとともに、当該トレイ体を上方へ向けて所定の付勢手段によって付勢することにより常時退避させた状態とする機構であって、  所定の引張駆動手段を用いて前記付勢に抗してトレイ体を引っ張ることにより、当該トレイ体を前記端部を支点として回動させて引き下げる機構であることを特徴とする。この構成によれば、排出口と反対側の端部が回転自在に軸支されたトレイ体が、引張駆動手段によって、上方へ向けての付勢力に抗して引き下げられるため、遮蔽を行わない場合にはトレイ体を上方へ退避させておき、遮蔽時にはトレイ体を下降させる機構を、より簡易な構成で実現できる。
【００１３】
請求項７に係る画像形成装置は、請求項１において、前記遮蔽機構は、装置内に常時退避している所定のガード体を、排出口の側方に突出させる機構であることを特徴とする。この構成によれば、遮蔽機構によって、装置内に常時退避されているガード体が排出口の側方に突出されるため、排出口の側方にガード体を突出させるという簡易な構成で、当該ガード体により用紙を遮蔽することができる。
【００１４】
請求項８に係る画像形成装置は、請求項７において、前記遮蔽機構は、前記ガード体に設けられたラックと噛合するピニオンを回転駆動させることにより当該ガード体を押し出す機構であることを特徴とする。この構成によれば、遮蔽機構によって、ガード体に設けられたラックと噛合するピニオンが回転駆動されて当該ガード体が押し出されるため、遮蔽を行わない場合にはガード体を装置内に退避（収納）させておき、遮蔽時にはガード体を突出させる機構を、ラックやピニオンからなる簡易な構成を用いて実現できる。
【００１５】
請求項９に係る画像形成装置は、請求項８において、前記遮蔽機構は、排出口における排出ローラを回転駆動させる駆動力の前記ピニオンに対する伝達／非伝達を切り替えるクラッチを備えることを特徴とする。この構成によれば、遮蔽機構に備えられたクラッチによって、排出ローラを回転駆動させる駆動力のピニオンに対する伝達／非伝達が切り替えられるため、必要に応じて、すなわち当該クラッチによるピニオンに対する駆動力の伝達／非伝達の切り替えに応じて、排出ローラの回転駆動力を利用したガード体の突出・没入駆動が容易に行えるようになる。
【００１６】
請求項１０に係る画像形成装置は、請求項７において、前記遮蔽機構は、前記ガード体に所定の回転体を圧接させ、該回転体を回転駆動させることにより当該ガード体を押し出す機構であることを特徴とする。この構成によれば、遮蔽機構によって、ガード体に回転駆動される回転体が圧接されてガード体が押し出されるため、遮蔽を行わない場合にはガード体を装置内に退避（収納）させておき、遮蔽時にはガード体を突出させる機構を、回転体やこれをガード体に圧接させるものからなる簡易な構成を用いて実現できる。
【００１７】
請求項１１に係る画像形成装置は、請求項１０において、前記回転体は、排出口における排出ローラを回転駆動させる駆動力によって回転されるよう構成されており、前記遮蔽機構は、所定の付勢手段によってガード体外へ向けて付勢される前記回転体を、ガード体に圧接させるべく当該付勢に抗して引っ張るソレノイドを備えることを特徴とする。この構成によれば、遮蔽機構に備えられたソレノイドにより、ガード体外へ向けて付勢されている付勢力に抗して回転体を引っ張って当該回転体をガード体に圧接させたり、逆に回転体の引っ張りを解除することでガード体から離間させることができるため、必要に応じて、すなわち当該回転体のガード体に対する接触・非接触に応じて、排出ローラの回転駆動力を利用したガード体の突出・没入駆動が容易に行えるようになる。
【００１８】
請求項１２に係る画像形成装置は、請求項１において、前記画像形成装置は、用紙が排出される排出トレイの下部に所定の空間部を有し、且つ当該空間部に装置を冷却するための冷却風が導入されるよう構成されたものであって、前記遮蔽機構は、前記空間部内に一時的に用紙を排出することによりスイッチバックを行うスイッチバック機構であることを特徴とする。この構成によれば、遮蔽機構が、冷却風が導入されるよう構成された排出トレイ下部の空間部へ一時的に用紙を排出するスイッチバック機構とされているため、すなわち当該排出トレイ下部の空間部へ用紙排出を行うスイッチバック機構によって、自ずと排出トレイによる排出用紙の遮蔽が実現されているため、排出トレイを上昇させたり所定のトレイ体を下降させたりすることなく、より簡易な構成でスイッチバック時に排出口から一時的に排出された用紙の遮蔽を行うことができる。また、一時的に排出された用紙が冷却風で冷却されるため、定着装置によって暖められた用紙におけるトナー融着等の防止を図ることができる。
【発明の効果】
【００１９】
請求項１記載の発明によれば、用紙の一時的排出時において該用紙の少なくとも一部分（用紙における排出口から排出されている部分）が遮蔽機構によって遮蔽されるため、ユーザがスイッチバック時に排出口から一時的に排出されてきた用紙に間違って触れてしまい、ジャム等が発生するといったことを確実に防止することができる。
【００２０】
請求項２記載の発明によれば、排出トレイを排出口の位置まで上昇させてその裏面空間に用紙排出を行うという簡易な構成で、当該排出トレイにより用紙を遮蔽することができる。
【００２１】
請求項３、４記載の発明によれば、排出トレイを持ち上げる機構を簡易な構成で実現できる。
【００２２】
請求項５記載の発明によれば、排出トレイを排出口の位置まで下降させてその裏面空間に用紙排出を行うという簡易な構成において、当該排出トレイにより用紙を遮蔽することができる。
【００２３】
請求項６記載の発明によれば、遮蔽を行わない場合には排出トレイを上方へ退避させておき、遮蔽時には排出トレイを下降させる機構を、より簡易な構成で実現できる。
【００２４】
請求項７記載の発明によれば、排出口の側方にガード体を突出させるという簡易な構成で、当該ガード体により用紙を遮蔽することができる。
【００２５】
請求項８記載の発明によれば、遮蔽を行わない場合にはガード体を装置内に退避（収納）させておき、遮蔽時にはガード体を突出させる機構を、ラックやピニオンからなる簡易な構成を用いて実現できる。
【００２６】
請求項９記載の発明によれば、必要に応じて、すなわち当該クラッチによるピニオンに対する駆動力の伝達／非伝達の切り替えに応じて、排出ローラの回転駆動力を利用したガード体の突出・没入駆動が容易に行えるようになる。
【００２７】
請求項１０記載の発明によれば、遮蔽を行わない場合にはガード体を装置内に退避（収納）させておき、遮蔽時にはガード体を突出させる機構を、回転体やこれをガード体に圧接させるものからなる簡易な構成を用いて実現できる。
【００２８】
請求項１１記載の発明によれば、必要に応じて、すなわち当該回転体のガード体に対する接触・非接触に応じて、排出ローラの回転駆動力を利用したガード体の突出・没入駆動が容易に行えるようになる。
【００２９】
請求項１２記載の発明によれば、排出トレイを上昇させたり所定のトレイ体を下降移動させたりすることなく、より簡易な構成でスイッチバック時に排出口から一時的に排出された用紙の遮蔽を行うことができる。また、一時的に排出された用紙が冷却風で冷却されるため、定着装置によって暖められた用紙におけるトナー融着等の防止を図ることができる。
【発明を実施するための最良の形態】
【００３０】
（第１実施形態）
以下、本発明の第１実施形態に係る画像形成装置について図面を参照しながら説明する。図１は、第１実施形態に係る画像形成装置の一例である複写機１の外観構成を示す斜視図である。図１に示す複写機１の外形は、本体ハウジング２（本体部）とその上部に載置された上ハウジング３とで区画されている。本体ハウジング２と上ハウジング３との中間部には右前方側から略水平方向に内側（奥側）に入り込んだ用紙スタック空間部４が形成されている。用紙スタック空間部４には、本体ハウジング２から横方向に排出される（胴内排出される）用紙を受け止める用紙スタック部５が形成されており、この用紙スタック部５に対する用紙の排出口（後述の排出口１１５）において、スイッチバックされる用紙を遮蔽する遮蔽部６００が設けられている。
【００３１】
上ハウジング３は、原稿画像の読み取りを行うべく原稿を読み取り位置へ搬送する原稿給送部２００と、画像読み取り位置において原稿画像の読み取りを行う原稿読取部３００とを有している。本体ハウジング２は、用紙の給紙を行う給紙部４００と用紙上に画像形成を行う画像形成部１００とを内蔵した下ハウジング２１と、画像形成後の用紙を搬送して用紙スタック部５へ排出するための用紙搬送路を内蔵した連結ハウジング２２とで構成（区画）されている。なお、用紙スタック空間部４の位置のフロント部（手前側）には、複写機１を操作するための操作表示部５００が設けられている。
【００３２】
次に、複写機１の内部構成について説明する。図２は、複写機１の内部構成を主に示す模式図である。複写機１は、図１で述べたように画像形成部１００、原稿給送部２００、原稿読取部３００、給紙部４００、操作表示部５００及び遮蔽部６００を備えて構成されている。
【００３３】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１などからなり、その上面に、装置原稿読み取り用の第１コンタクトガラス３０２と、ＡＤＦ原稿読み取り用の第２コンタクトガラス３０３とを備えている。原稿読取部３００は、第１コンタクトガラス３０２上に載置された原稿、あるいは原稿給送部２００によって第２コンタクトガラス３０３に接するようにして移送される原稿を走査しつつ取得した画像データを後述する制御部２０へ出力する。
【００３４】
原稿給送部２００（ＡＤＦ）は、原稿読取部３００へ原稿を給送するものである。原稿給送部２００は、原稿を載置する原稿トレイ２０１、搬入ローラ等を備え原稿トレイ２０１から原稿を搬入させる搬入駆動部２０２、搬送経路２０３中の原稿を搬送する搬送ローラ２０４、搬送ローラ２０４により搬送されてきた原稿を排出させる排出ローラ２０５、及び排出ローラ２０５により排出された原稿を載置（積載）する原稿排出トレイ２０８等を備えて構成されている。原稿給送部２００は、コピー開始の指示入力等に応じて、原稿トレイ２０１に載置された原稿を自動的に１枚ずつ第２コンタクトガラス３０３に接触させつつ搬送し、この位置での原稿の露光走査後に原稿排出トレイ２０８上へ排出させる所謂シートスルータイプの原稿読み取りを実現する。
【００３５】
また、原稿給送部２００は、装置の背面側を回動支点として原稿読取部３００の上面に対して可倒式に構成されており、第１コンタクトガラス３０２（第２コンタクトガラス３０３）の上面を開放するように上方かつ後方側に開くように持ち上げることにより、第１コンタクトガラス３０２の上面に、例えば見開き状態にされた書籍等の読み取り用原稿を載置することが可能に構成されている。
【００３６】
給紙部４００は、画像形成部１００に対して用紙の給紙を行うものである。給紙部４００は、各サイズの用紙（記録紙）が収納される給紙カセット４０１、４０２、これら給紙カセット４０１、４０２から画像形成部１００へ用紙を搬送する搬送経路４０３を備えている。各給紙カセット４０１、４０２は、収納されている用紙を取り出すためのピックアップローラ４０４、４０５、用紙を１枚ずつ各搬送経路に送り出す給紙ローラ４０６、４０７を備えている。搬送経路４０３には、用紙を搬送する搬送ローラ４０８、及び搬送されてきた用紙を画像形成部１００の手前で待機させるためのレジストローラ４０９が設けられている。なお、給紙部４００には、本体ハウジング２の一側方部（右側方部）に開閉自在に構成された手差しトレイ等からなる手差し給紙部（図略）を備えていてもよく、この場合、手差し給紙部からの用紙搬送経路はレジストローラ４０９の上流側で合流するように構成されている。
【００３７】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部
１０２、現像部１０３、クリーニング部１０４、レーザ走査ユニット１０５及び転写ローラ１０６、転写ローラ１０６の下流側に配設された定着ローラ１０７を備えている。
【００３８】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００３９】
本体ハウジング２の上部には、上記用紙スタック部５における排出されてきた用紙を積載する用紙排出トレイ１０８が設けられており、定着ローラ１０７から搬送されてきた用紙は、排出ローラ１１０によってこの用紙排出トレイ１０８上へ排出される。
【００４０】
ところで、排出ローラ１１０は、用紙に両面印刷を行う場合等において、定着ローラ１０７側から搬送されてきた用紙の裏表面の向きを反転させるべく逆回転可能な構成とされている（排出ローラ１１０は反転ローラを兼ねている）。排出ローラ１１０は、定着ローラ１０７側から搬送されてきた用紙を、この用紙の後端部側が排出ローラ１１０の位置辺りにくるまで搬送し、すなわち用紙の先端側を排出ローラ１１０外へ一旦排出させ、その後、排出ローラ１１０を逆回転させてこの用紙の排出部分を排出ローラ１１０内へ引き込む（搬入させる）。
【００４１】
排出ローラ１１０内へ引き込まれた用紙は、搬送ローラ１１１や搬送ローラ１１２によって搬送経路１１３を搬送され、再度、画像形成部１００（レジストローラ４０９）へ向けて送られる。このようにして、裏表面が反転された用紙の裏面（最初に画像形成された面を表面としている）に対して画像形成が行われ、両面が印刷されたこの用紙は、再度、定着ローラ１０７及び排出ローラ１１０を介して用紙排出トレイ１０８上へ排出される。なお、定着ローラ１０７から排出ローラ１１０へ向けての搬送方向、及び用紙反転における排出ローラ１１０から搬送経路１１３（搬送ローラ１１１）へ向けての搬送方向の切り替えは、分岐ガイド１１４により行われる構成となっている。このように、複写機１は、排出ローラ１１０や搬送ローラ１１１、１１２及び搬送経路１１３等によって、用紙反転を行うためのスイッチバック機構を構成している。
【００４２】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示するとともに、種々の操作ボタン等が表示される液晶表示器（ＬＣＤ）等からなる表示器５０３（ディスプレイ）とを備えている。
【００４３】
遮蔽部６００は、上記スイッチバック時における用紙、すなわち用紙反転させるべく排出ローラ１１０から一時的に排出された用紙の少なくとも一部分を遮蔽するものである。この遮蔽部６００については後に詳述する。
【００４４】
図３は、図１に示す複写機１の概略構成を示すブロック図である。複写機１は、装置全体の動作制御を司る制御部２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するマイクロコンピュータ等からなり、操作表示部５００等において入力された所定の指示情報や、本装置の各所に設けられた各種センサからの検出信号に応じて装置全体の制御を行うものである。特に本発明に関しては、制御部２０は、操作表示部５００等からの指示に応じて、上記スイッチバック時において、用紙反転するべく排出ローラ１１０からその一部が排出された用紙の遮蔽を行うための動作モード（例えば両面印刷モードや遮蔽モード）を設定し、この設定された動作モードに応じて遮蔽部６００の動作（駆動）を制御する。
【００４５】
制御部２０は、上記画像形成部１００、原稿給送部２００、原稿読取部３００、給紙部４００、操作表示部５００及び遮蔽部６００、並びに画像記憶部３０及び画像処理部４０等が接続されている。
【００４６】
画像記憶部３０は、原稿読取部３００によって読み取られた原稿の画像データや図略のネットワークＩ／Ｆ部等を介して外部装置から送信されてきた画像データを一時的に記憶するメモリである。画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００４７】
ここで、遮蔽部６００の詳細な構成について以下に説明する。
図４は、遮蔽部６００の構成の一例を示す概略断面図である。図３に示すように、遮蔽部６００は、回転トレイ６１０、リフト板６２０及び駆動モータ６３０を備えて構成されている。回転トレイ６１０は、排出ローラ１１０の位置、具体的には排出口１１５の位置よりも高い位置まで回転されて持ち上げられるものである。回転トレイ６１０は、用紙排出トレイ１０８における排出ローラ１１０側（先端側）の一部分を構成する、矢印Ｂで示す上方視略長方形状の平板体（トレイ状体）であり、用紙排出トレイ１０８に対して、基端部６０１を回転中心軸として矢印Ａで示す方向に回動自在に取り付けられている。
【００４８】
なお、用紙排出トレイ１０８における回転トレイ６１０以外の部分を固定トレイ１０９とする。また、回転トレイ６１０は平板体に限定されずともよく、例えば用紙搬送方向に（緩やかに）カーブした形状とされていてもよい。また、回転トレイ６１０は上記平板体でなくともよく、例えば少なくとも排出口１１５側が開口された筒状体（箱体）であってもよい。この場合、排出されてきた用紙がこの筒状体中を移動（摺動）することになり、この場合の回転トレイ６１０は、スイッチバック時に排出口１１５の外に排出される用紙の搬送路の一部を構成するものであるとも言える。また、回転トレイ６１０は、搬送方向に垂直な断面形状が下向きに開口したコ字状となるような形状であってもよい。いずれにしてもこれらの場合には、側方からも用紙が遮蔽されることになる（横から手を差し込み難くなる）。
【００４９】
リフト板６２０は、自身が回転することにより、回転トレイ６１０を基端部６０１を回転中心軸として回動させて昇降移動させる所謂カムである。リフト板６２０は、回転トレイ６１０の下方で且つ回転トレイ６１０の下面に当接した状態で配置された板状体であり、図４に示すように、回転トレイ６１０と当接する辺部６２１が、リフト板６２０の回転中心６３１に対して偏心された円弧状に形成されている。ただし、リフト板６２０は、図４に示す形状に限定されず、要は、回転することによって回転トレイ６１０を昇降させることが可能な形状、具体的には回転中心６３１から辺部６２１における各位置までの距離が異なるものであればよく、辺部６２１が円弧状でなく例えば直線状、多角状に形成されていてもよい。ただし、円弧状に形成されていることにより、回転に応じてリフト板６２０を摺接させつつ回転トレイ６１０を滑らかに昇降移動させることが可能となる。なお、リフト板６２０は、排出されてきた用紙が当該リフト板６２０に当接しないよう回転トレイ６１０の下部位置（例えば回転トレイ６１０の側方部）に配置されている。
【００５０】
駆動モータ６３０は、リフト板６２０を回転駆動させるモータ（リフトモータ）であり、リフト板６２０を上記回転中心６３１を支点として回転させるものである。ただし、駆動モータ６３０は、リフト板６２０の昇降に応じて正逆回転可能に構成されていてもよい。また、駆動モータ６３０は、リフト板６２０に対してその駆動軸を直接連結させて回転させる構成であってもよいし、ギア機構等を介して回転させる構成であってもよい。
【００５１】
図５は、図４に示す遮蔽部６００による遮蔽動作時の状態を示す図である。図４に示すように、スイッチバック時において排出されてきた用紙を遮蔽する際には、駆動モータ６３０によってリフト板６２０が矢印Ｃで示す方向に正回転し、リフト板６２０が回転トレイ６１０を下方から摺接して押し上げることで回転トレイ６１０が回転し、リフト板６２０の先端部６０２が排出口１１５の位置、具体的には排出口１１５の高さ位置よりも高い位置で且つその近傍位置まで持ち上げられる。したがって、スイッチバック時に排出口１１５から排出されてきた用紙Ｓは、回転トレイ６１０の裏面空間部６０３（下方空間）へ排出されることになり、これにより、排出口１１５から一時的に排出されてきた用紙Ｓが回転トレイ６１０によって（特に上方から）遮蔽される。また、回転トレイ６１０が回動されて上昇してくることにより、これから用紙のスイッチバックが行われるということがユーザによって容易に認識（視認）され、間違って排出口１１５（から排出されてきた用紙）へ向けて手を差し込んでしまうといったことがより確実に防止される。
【００５２】
回転トレイ６１０を持ち上げる動作は、排出口１１５から用紙Ｓが排出されてくる前のタイミング、例えば操作表示部５００からの指示入力により遮蔽モードあるいは両面印刷モードが制御部２０に設定された時点で行われ、また回転トレイ６１０を元の位置まで下げる動作は、用紙Ｓが排出口１１５内への搬入（引き戻し）が完了したタイミング、具体的には例えば排出ローラ１１０の逆回転駆動の停止、或いは当該搬入された用紙Ｓが搬送経路１１３の所定位置を通過したことが制御部２０により検出された時点で行われる。
【００５３】
なお、回転トレイ６１０を回転させて昇降させる構成は図４、５に示すものに限定されず、例えば図６における遮蔽部６００ａに示すように、回転トレイ６１０ａを、その基端部６０５を所定のギア機構６４０を用いて回転させて持ち上げる、具体的には例えば基端部６０５の外周に第１歯車６０６を形成し、一方これに噛み合う第２歯車６０７を設け、第２歯車６０７を駆動モータ６０８により回転駆動させて第１歯車６０６とともに回転トレイ６１０ａを基端部６０５を支点として回転させて持ち上げる構成としてもよい。
【００５４】
（第２実施形態）
次に、本発明の第２実施形態に係る画像形成装置としての複写機について説明する。ただし、第２実施形態に係る複写機１ａは、複写機１における遮蔽部６００の構成が異なるものとされており、ここではその構成が異なる遮蔽部７００について説明する。その他各部の構成は複写機１と同じであり、その説明を省略する。
【００５５】
図７は、複写機１ａにおける遮蔽部７００の構成の一例を示す概略断面図である。図３に示すように、遮蔽部７００は、回転トレイ７１０、バネ部材７２０及びソレノイド７３０を備えて構成されている。回転トレイ７１０は、排出ローラ１１０の位置、すなわち排出口１１５の位置まで回転されて下降されるものである。回転トレイ７１０は、矢印Ａで示す上方視略長方形状の平板体（トレイ状体）であり、用紙スタック部５の上方部すなわち原稿読取部３００の下部３１０に（下部３１０の内側に収納された状態、又は下面に露出された状態で）、基端部７０１を回転中心軸として矢印Ｄで示す方向に回動自在に取り付けられており、スイッチバック動作を行わない通常時には、当該用紙スタック部５の上方部に常時退避している。回転トレイ７１０は上記平板体でなくともよく、例えば少なくとも排出口１１５側が開口された筒状体（箱体）であってもよい。この場合、排出されてきた用紙がこの筒状体中を移動することになり、この場合の回転トレイ７１０は、回転トレイ６１０と同様に、スイッチバック時に排出口の外に排出される用紙の搬送路を構成するものであるとも言える。また、回転トレイ７１０は、搬送方向に垂直な断面形状が下向きに開口したコ字状となるような枠体であってもよい。何れにしてもこれらの場合には、側方からも用紙が遮蔽されることになる。
【００５６】
バネ部材７２０は、回転トレイ７１０を上方向（矢印Ａ方向と反対方向）に付勢するものであり、例えばコイル状の引張バネである。バネ部材７２０の一端側は原稿読取部３００の下部に連結されており、他端側は回転トレイ７１０に連結されている。
【００５７】
ソレノイド７３０は、バネ部材７２０による付勢力に抗して回転トレイ７１０を引き下げるものであり、例えばソレノイド７３０本体内において巻回された電磁コイルと、当該電磁コイルへの磁力の供給、停止によりコイル巻回中心を軸方向に往復移動するプランジャ７３１とを有する所謂電磁ソレノイドである。ソレノイド７３０のプランジャ７３１の先端側は、回転トレイ７１０の下面部に連結されており、ソレノイド７３０本体は、本体ハウジング２の用紙排出トレイ１０８側の所定位置に固設されている。なお、ソレノイド７３０及びバネ部材７２０の回転トレイ７１０に対する取り付け位置は図７に示すものに限定されない。
【００５８】
図８は、図７に示す遮蔽部７００による遮蔽動作時の状態を示す図である。図８に示すように、スイッチバック時において排出されてきた用紙を遮蔽する際には、ソレノイド７３０の電磁コイルに駆動電流が供給されて磁力が発生されることにより、プランジャ７３１を電磁ソレノイドの筐体の内方へ向けて没入させ、回転トレイ７１０をバネ部材７２０による付勢力に抗して下方へ引っ張ることで回転トレイ７１０が基端部７０１を支点として回転し、回転トレイ７１０の先端部７０２が排出口１１５の位置、ここでは排出口１１５の高さ位置よりも高い位置で且つその近傍位置まで下げられる。したがって、スイッチバック時に排出口１１５から排出されてきた用紙Ｔは、回転トレイ７１０の裏面空間部７０３（下方空間）へ排出されることになり、これにより排出口１１５から一時的に排出されてきた用紙Ｔが回転トレイ７１０によって（特に上方から）遮蔽される。また、回転トレイ７１０が回動されて降下してくることにより、今から用紙のスイッチバックが行われるということがユーザによって容易に認識（視認）され、間違って手を排出部１１５等へ差し込むといったことがより確実に防止される。また、本第２実施形態では、用紙排出トレイ１０８とは別に設けた回転トレイ７１０を下降させる構成であるため、用紙排出トレイ１０８に積載されている用紙（用紙重量）とは関係なく、すなわち積載された用紙が重いことにより駆動力（移動速度）の低下を招いたりすることなく、回転トレイ７１０の昇降駆動を安定かつ容易に行うことができる。
【００５９】
なお、ソレノイド７３０の電磁コイルに対する駆動電流の供給が停止されて消磁すると、プランジャ７３１がバネ部材７２０による付勢力によって外方へ向けて突出され、回転トレイ７１０が元の位置（原稿読取部３００の下部３１０位置）へ回動して戻される。
【００６０】
回転トレイ７１０を降下させる動作は、第１実施形態の場合と同様、例えば遮蔽モードあるいは両面印刷モードが制御部２０に設定された時点で行われ、また、回転トレイ７１０を元の位置の戻す動作は、例えば排出ローラ１１０の逆回転駆動の停止、或いは当該搬入された用紙Ｔが搬送経路１１３の所定位置を通過したことが制御部２０により検出された時点で行われる。
【００６１】
（第３実施形態）
次に、本発明の第３実施形態に係る画像形成装置としての複写機について説明する。ただし、第３実施形態に係る複写機１ｂは、複写機１における遮蔽部６００の構成が異なるものとされており、ここではその構成が異なる遮蔽部８００について説明する。その他各部の構成は複写機１と同じであり、その説明を省略する。
【００６２】
図９は、複写機１ｂにおける遮蔽部８００の構成の一例を示す概略断面図である。また、図１０は、図９に示す遮蔽部８００による遮蔽動作時の状態を示す図である。図９、１０に示すように、遮蔽部８００は、排出ローラ８１０、搬送経路８２０、分岐ガイド８３０及び用紙排出トレイ８４０を備えて構成されている。
【００６３】
排出ローラ８１０は、定着ローラ１０７側から搬送されてきた用紙Ｕの裏表面の向きを反転させるべく逆回転可能な構成とされたスイッチバック専用の反転ローラである。排出ローラ８１０は、装置における用紙排出トレイ８４０の先端下部８４１側の位置に配設されており、排出ローラ８１０の排出口８１１から排出されてきた用紙Ｕを後述の空間部８４２へ一時的に排出する。
【００６４】
搬送経路８２０は、定着ローラ１０７から排出ローラ１１０にかけての搬送経路（搬送経路８５０）の途中で分岐され排出ローラ８１０へ繋がっている、反転用の用紙を搬送するための搬送路である。分岐ガイド８３０は、搬送経路８５０と搬送経路８２０との用紙搬送方向の切り替えを行うものである。用紙排出トレイ８４０は、排出口１１５から排出されてきた用紙Ｐを受け止めるトレイであり、図７に示す用紙排出トレイ１０８に相当する。
【００６５】
用紙排出トレイ８４０の下部には、排出ローラ８１０から排出されてきた用紙Ｕが当接しないよう充分広い空きスペースを有した空間部８４２が設けられている。この空間部８４２内は、装置の冷却風が流れる所謂冷却風路となる構成、具体的には、装置内に一般的に備えられている、レーザ走査ユニット１０５などの光学系等を冷却するための冷却装置８４３（冷却ファン）により発生される冷却風を、例えば所定のダクト８４４等を用いて当該空間部８４２内へ導入している構成となっている。これにより、先の定着ローラ１０７において暖められて排出されてきた用紙Ｕ（の表面）が冷却風によって冷却され、トナーの融着の防止、すなわち、例えば用紙排出トレイ８４０上に積載された用紙が互いに貼り付いたり、或いは分岐ガイド８３０等にトナーが付着することなどに起因してジャムが発生するといったことを防止できる。
【００６６】
また、搬送経路８２０の背部８２１側には、排出ローラ８１０の反転により引き戻された用紙（反転用紙）を再度画像形成部１００へ向けて搬送するための搬送経路（図２に示す搬送経路１１３に相当）が設けられている（図２の分岐ガイド１１４に相当する分岐ガイドも設けられていてもよい）。
【００６７】
なお、図９に示す排出ローラ１１０は、スイッチバックを行わない（逆回転しない）単に用紙を用紙排出トレイ８４０へ排出する機能のみを備えたものとされており、排出ローラ８１０においてスイッチバックされ、画像形成部１００においてもう片面が印刷された用紙（両面印刷が完了した用紙）は、搬送経路８５０を経て排出ローラ１１０によって用紙排出トレイ８４０上へ排出される。
【００６８】
以上のことから、第３実施形態の複写機１ｂにおける遮蔽部８００は、第１、第２実施形態の場合のように排出ローラ１１０において装置外へ用紙を露出させてスイッチバックを行うものではなく、排出ローラ１１０とは別に排出ローラ８１０（及びこれに排出させるための搬送経路８２０や分岐ガイド８３０）を備え、これらを用いて用紙排出トレイ８４０の下部空間、すなわち装置内部において用紙のスイッチバックを行うことにより、自ずと当該スイッチバックにより一時的に排出される用紙を遮蔽するものとなる。これにより、排出されてきた用紙を確実に遮蔽することができる。
【００６９】
（第４実施形態）
次に、本発明の第４実施形態に係る画像形成装置としての複写機について説明する。ただし、第４実施形態に係る複写機１ｃは、複写機１における遮蔽部６００の構成が異なるものとされており、ここではその構成が異なる遮蔽部９００について説明する。その他各部の構成は複写機１と同じであり、その説明を省略する。ただし、複写機１ｃの用紙排出トレイ１０８は、図７に示す用紙排出トレイ１０８と同じ構成（回動しない構成）とされている。
【００７０】
図１１に示すように、複写機１ｃにおける遮蔽部９００は、装置内（ここでは連結ハウジング２２内）に常時退避している所定のガード体９１０を、排出ローラ１１０（排出口１１５）の側方、すなわち矢印Ｅで示す方向（水平方向）に突出・没入させる機構を備えている。
【００７１】
図１２は、遮蔽部９００におけるガード体９１０の突出・没入駆動を説明する図であり、（ａ）は遮蔽部９００の概略側面図、（ｂ）は遮蔽部９００の駆動部の概略平面図である。図１２（ａ）に示すように、遮蔽部９００は、その一部又は全部が装置外に突出されるガード体９１０と、ガード体９１０を突出・没入駆動させる装置内に配設された駆動部９２０とを備えている。ガード体９１０は、側面視例えば略長方形状の板状（カード状）に形成された板状部９１１と、板状部９１１の基端側に水平に延設されてなる腕状部９１２とから構成されている。腕状部９１２の下面部にはラック９１３が形成されている。
【００７２】
一方、駆動部９２０は、図１２（ｂ）に示すように駆動シャフト９２１、ピニオン９２２及びクラッチ９２３から構成されている。駆動シャフト９２１は、排出ローラ１１０を回転駆動させる駆動力を伝達するシャフトである。駆動シャフト９２１は、排出ローラ１１０の駆動シャフト自体が延設されてなるものであってもよいし、排出ローラ１１０の駆動シャフトとは別に設けられた、所定のギア機構を介在して当該駆動力が伝達されるシャフトであってもよい。
【００７３】
ピニオン９２２は、駆動シャフト９２１の回転駆動に応じて回転される所謂ピニオンギアであり、このギアがガード体９１０（腕状部９１２）におけるラック９１３と噛合されている。クラッチ９２３は、駆動シャフト９２１からピニオン９２２への駆動力の伝達／非伝達を切り替えるものであって、この切り替え動作を当該クラッチ９２３への通電／非通電に応じて行う所謂電磁クラッチである。
【００７４】
上記のように構成された遮蔽部９００において、駆動部９２０のピニオン９２２を回転駆動させることによりガード体９１０が矢印Ｅ方向にスライド移動されて突出・没入される。ただし、排出口１１５から用紙が排出される際の排出ローラ１１０の正回転駆動時には、この正回転駆動に合わせてガード体９１０が押し出され（突出され）、用紙が引き戻される際の排出ローラ１１０の逆回転駆動時には、この逆回転駆動に合わせてガード体９１０が引き込まれる（没入される）。このようにして、排出ローラ１１０により排出口１１５から一時的に排出されてきた用紙は突出されたガード体９１０によって遮蔽される。なお、当該ガード体９１０が突出されることにより、今から用紙のスイッチバックが行われるということがユーザによって容易に認識（視認）され、間違って手を排出部１１５等へ指し込むといったことがより確実に防止される。
【００７５】
ところで、遮蔽部９００は、以下の態様をとることができる。すなわち、図１３（ａ）、（ｂ）に示すように、遮蔽部９００ａは、ガード体９１０ａ、駆動部９３０及びソレノイド９４０を備えている。ガード体９１０ａは、上記ガード体９１０と同様、板状部９１１ａ及び腕状部９１２ａから構成されている。ただし、腕状部９１２ａの上面部９１４には、後述の従動プーリ９３３が押し当てられ、この従動プーリ９３３との間に所定の摩擦力を発生させることが可能な押当面（摩擦面）が形成されている。
【００７６】
駆動部９３０は、駆動シャフト９３１、駆動シャフト９３１により回転駆動される駆動プーリ９３２、駆動プーリ９３２に従動される従動プーリ９３３、駆動プーリ９３２や従動プーリ９３３が収納される枠体９３４、及びバネ部材９３５を備えて構成されている。駆動シャフト９３１は、上記駆動シャフト９２１と同様に、排出ローラ１１０を回転駆動させる駆動力を伝達するシャフトである。また、バネ部材９３５は、枠体９３４を上方に向けて付勢するものであり、例えばコイル状の引張バネである。このバネ部材９３５の上端は装置に連結されおり、遮蔽部９００ａを駆動させない通常時においては、図１３（ａ）に示すように従動プーリ９３３が腕状部９１２ａの上面部９１４に当接しない位置まで枠体９３４を引き上げた状態としている。
【００７７】
ソレノイド９４０は、上記ソレノイド７３０と同様に電磁コイルと当該電磁コイルへの磁力の供給、停止によりコイル巻回中心を軸方向に往復移動するプランジャ９４１とを有する電磁ソレノイドであり、上記腕状部９１２ａの下方における装置の所定箇所に固設されている。なお、ソレノイド９４０は、プランジャ９４１の先端部にバネ部材９３５と同様のバネ部材９４２を備えている。このバネ部材９４２の上端は枠体９３４の下面部に連結されている。なお、バネ部材９４２は、ソレノイド９４０による引っ張り力が枠体９３４へ直接伝達されるの防止し、従動プーリ９３３と腕状部９１２ａとの接触圧を好適に調節する緩衝体として機能する。
【００７８】
上記のように構成された遮蔽部９００ａの駆動時には、ソレノイド９４０の電磁コイルに磁力を供給してプランジャ９４１をソレノイド９４０本体内へ没入させることにより、枠体９３４をバネ部材９３５の付勢力に抗して引っ張り、この枠体９３４を例えば駆動シャフト９２１を回動中心として下方へ回動させ、従動プーリ９３３を腕状部９１２ａの上面部９１４に圧接させた図１３（ｂ）に示す状態にする。これにより、駆動部９３０の駆動シャフト９２１の回転駆動に応じてガード体９１０ａが矢印Ｅ方向にスライド移動されて突出・没入される。ただし、この場合も、排出口１１５から用紙が排出される際の排出ローラ１１０の正回転駆動時には、当該正回転駆動に合わせてガード体９１０ａが押し出され（突出され）、用紙が引き戻される際の排出ローラ１１０の逆回転駆動時には、当該逆回転駆動に合わせてガード体９１０ａが引き込まれる（没入される）。これにより、排出ローラ１１０により排出口１１５から一時的に排出されてきた用紙は、この突出されたガード体９１０ａによって遮蔽されることになる。
【００７９】
以上のように、本発明の画像形成装置（複写機１、１ａ、１ｂ、１ｃ）によれば、用紙を反転させるべく該用紙を一時的に排出口１１５の外に排出してスイッチバックを行うスイッチバック機構を備えたものとされ、当該用紙の一時的排出時において該用紙の少なくとも一部分（用紙における排出口１１５から排出されている部分）が遮蔽部６００（６００ａ、７００、８００、９００、９００ａ）によって遮蔽される（覆い隠される）ため、ユーザがスイッチバック時に排出口１１５から一時的に排出されてきた用紙に間違って触れてしまい、ジャム等が発生するといったことを確実に防止することができる。
【００８０】
また、遮蔽部６００（６００ａ）によって、用紙排出トレイ１０８（ここでは用紙排出トレイ１０８の一部分を構成する回転トレイ６１０（６１０ａ））が排出口１１５の位置まで上昇されてこの回転トレイ６１０の裏面空間部６０３（下方空間）へ用紙Ｓが一時的に排出されるため、回転トレイ６１０を排出口１１５の位置まで上昇させてその裏面空間部６０３に用紙排出を行うという簡易な構成で、当該回転トレイ６１０（用紙排出トレイ１０８）により用紙Ｓ（の排出口１１５からの排出部分）を遮蔽することができる。
【００８１】
また、排出口１１５と反対側の基端部６０１が回転自在に軸支された回転トレイ６１０が、下方から当接されたリフト板６２０の回転に応じて基端部６０１を支点として回動して持ち上げられるため、回転トレイ６１０を持ち上げる機構を簡易な構成で実現できる。
【００８２】
また、排出口１１５と反対側の基端部６０１が回転自在に軸支された回転トレイ６１０ａが、ギア機構６４０を用いた軸支部（基端部６０５）の回転に応じて基端部６０５を支点として回動して持ち上げられるため、回転トレイ６１０ａを持ち上げる機構を簡易な構成で実現できる。
【００８３】
また、遮蔽部７００によって、回転トレイ７１０が排出口１１５の位置まで下降されてこの回転トレイ７１０の裏面空間部７０３（下方空間）へ用紙Ｔが一時的に排出されるため、回転トレイ７１０を排出口１１５の位置まで下降させてその裏面空間部７０３に用紙排出を行うという簡易な構成において、当該回転トレイ７１０により用紙を遮蔽することができる。
【００８４】
また、排出口１１５と反対側の基端部７０１が回転自在に軸支された回転トレイ７１０が、ソレノイド７３０によって、上方へ向けての（バネ部材７２０による）付勢力に抗して引き下げられるため、遮蔽を行わない場合には回転トレイ７１０を上方へ退避させておき、遮蔽時には回転トレイ７１０を下降させる機構を、より簡易な構成で実現できる。
【００８５】
また、遮蔽部９００（９００ａ）によって、複写機１ｃ（連結ハウジング２２）内に常時退避されているガード体９１０（９１０ａ）が排出口１１５の側方に突出されるため、排出口１１５の側方にガード体９１０（９１０ａ）を突出させるという簡易な構成で、当該ガード体９１０（９１０ａ）により用紙を遮蔽することができる。
【００８６】
また、遮蔽部９００によって、ガード体９１０に設けられたラック９１３と噛合するピニオン９２２が回転駆動されて当該ガード体９１０が押し出されるため、遮蔽を行わない場合にはガード体９１０を装置内に退避（収納）させておき、遮蔽時にはガード体９１０を突出させる機構を、ラック９１３やピニオン９２２からなる簡易な構成を用いて実現できる。
【００８７】
また、遮蔽部９００に備えられたクラッチ９２３によって、排出ローラ１１０を回転駆動させる駆動力のピニオン９２２に対する伝達／非伝達が切り替えられるため、必要に応じて、すなわち当該クラッチ９２３によるピニオン９２２に対する駆動力の伝達／非伝達の切り替えに応じて、排出ローラ１１０の回転駆動力を利用したガード体９１０の突出・没入駆動が容易に行えるようになる。
【００８８】
また、遮蔽部９００ａによって、ガード体９１０ａに回転駆動される従動プーリ９３３（回転体）が圧接されて当該ガード体９１０ａが押し出されるため、遮蔽を行わない場合にはガード体９１０ａを装置内に退避（収納）させておき、遮蔽時にはガード体９１０ａを突出させる機構を、従動プーリ９３３（駆動部９３０）やこれをガード体に圧接させるもの（ソレノイド９４０）からなる簡易な構成を用いて実現できる。
【００８９】
また、遮蔽部９００ａに備えられたソレノイド９４０により、ガード体９１０ａ外へ向けて（バネ部材９３５により）付勢されている付勢力に抗して従動プーリ９３３（枠体９３４）を引っ張って当該従動プーリ９３３をガード体９１０ａに圧接させたり、逆に従動プーリ９３３（枠体９３４）の引っ張りを解除する（ソレノイド９４０をＯＦＦにする）ことで従動プーリ９３３をガード体９１０ａから離間させることができるため、必要に応じて、すなわち従動プーリ９３３のガード体９１０ａに対する接触・非接触に応じて、排出ローラ１１０の回転駆動力を利用したガード体９１０ａの突出・没入駆動が容易に行えるようになる。
【００９０】
さらに、遮蔽部８００が、（冷却装置８４３やダクト８４４等により）冷却風が導入されるよう構成された用紙排出トレイ８４０下部の空間部８４２へ一時的に用紙Ｕを排出するスイッチバック機構とされているため、すなわち当該用紙排出トレイ８４０下の空間部８４２へ用紙排出を行うスイッチバック機構によって、自ずと用紙排出トレイ８４０による排出用紙の遮蔽が実現されているため、用紙排出トレイ８４０を上昇させたり所定のトレイ体を下降させたりすることなく、より簡易な構成でスイッチバック時に排出口８１１から一時的に排出された用紙Ｕの遮蔽を行うことができる。また、一時的に排出された用紙Ｕが冷却風で冷却されるため、定着装置（定着ローラ１０７）によるトナー画像定着処理によって暖められた用紙におけるトナー融着等の防止を図ることができる。
さらに本発明は、以下の態様をとることができる。
【００９１】
（Ａ）図４、５において、下側から回転トレイ６１０を持ち上げるのではなく、上側から当該回転トレイ６１０を引っ張るようにして持ち上げる構成としてもよい。
【００９２】
（Ｂ）図４、５において、リフト板６２０等を回転させて回転トレイ６１０を回動させて持ち上げる構成ではなく、例えば所定の昇降装置を用いて、回転トレイ６１０（用紙排出トレイ１０８）全体をそのまま垂直方向に持ち上げる（昇降移動させる）構成としてもよい。
【００９３】
（Ｃ）図７、８において、回転トレイ７１０を下側へ引っ張ることで下降させるのではなく、上側から押し下げることで下降させる構成としてもよい。この場合バネ部材７２０を用いない構成としてもよい。
【００９４】
（Ｄ）図７、８において、ソレノイド７３０等によって回転トレイ７１０を引っ張って回動させて下降させる構成でなく、例えば所定の昇降装置を用いて回転トレイ７１０全体をそのまま垂直方向に下降させる（昇降移動させる）構成としてもよい。
【００９５】
（Ｅ）図５、８において、回転トレイ６１０（７１０）の先端部６０２（７０２）の高さ位置を、排出口１１５よりも低い位置（且つ排出口１１５の近傍位置）まで移動させ、当該回転トレイ６１０（７１０）の上面で、排出されてきた用紙Ｓ（Ｔ）の下面全体を受け止める構成としてもよい。ただし、この場合も、回転トレイ６１０（７１０）上に一時的に排出されてきた用紙がユーザによって触れられないようにするべく、当該回転トレイ６１０（７１０）の用紙搬送方向の両側部に側板部を設けた形状（断面が上方に開口した略コ字状となる形状）としてもよい。この側板部を設けることで、回転トレイ６１０（７１０）側方から手が差し込まれてしまうのを防止できる。なお、側板部だけでなく、上部全面を覆うような形状、つまり上記図４、５で説明したような排出口１１５側が開口された筒状体（この場合も回転トレイ６１０（７１０）が搬送路を構成するものであると言える）としてもよい。ただし、本変形態様（Ｅ）では、排出されてきた用紙の下面全体を受け止めるべく、この筒状体の底面（底板）の高さ位置が排出口１１５よりも（僅かに）低い位置にあることに重きが置かれ、一方の図４、５での説明においては、排出されてきた用紙を覆い隠すべく、筒状体の上面（天井板）の高さ位置が排出口１１５よりも高い位置にあることに重きを置いており、この場合、筒状体の底面は必ずしも排出用紙の下面全体を受け止めるものではなく、例えば、用紙の先端部が下に垂れ下がり過ぎないよう当該用紙の先端等を当接させて支持するものとしている。
【００９６】
（Ｆ）図１１に示すようにガード体９１０（９１０ａ）を側方へ（水平方向に）突出させるのではなく、例えば装置の上部から下方へ向けて突出させたり、或いは装置の下部から上方へ向けて突出させる、すなわち垂直方向で突出・没入させることで当該排出用紙の遮蔽を行う構成としてもよい。
【００９７】
（Ｇ）用紙のスイッチバックを行う際に、所定の音（例えば音声案内やブザー）や光（例えばｌＬＥＤ光）による、当該スイッチバック動作が現在行われていること（或いはスイッチバック動作がこれから開始されようとしていること）をユーザに（事前に；目視確認する前に）報知するための報知手段を備えてもよい。
【００９８】
（Ｉ）図１２、１３に示すガード体９１０、９１０ａの突出・没入駆動を、排出ローラ１１０の回転駆動力を利用せずに、別途設けた駆動源により行う構成としてもよい。
【図面の簡単な説明】
【００９９】
【図１】第１実施形態に係る画像形成装置の一例である複写機の外観構成を示す斜視図である。
【図２】図１に示す複写機の内部構成を主に示す模式図である。
【図３】図１に示す複写機の概略構成を示すブロック図である。
【図４】図１に示す複写機における遮蔽部の構成の一例を示す概略断面図である。
【図５】図４に示す遮蔽部による遮蔽動作時の状態を示す図である。
【図６】図４に示す遮蔽部の一変形例を示す図である。
【図７】第２実施形態に係る複写機における遮蔽部の構成の一例を示す概略断面図である。
【図８】図７に示す遮蔽部による遮蔽動作時の状態を示す図である。
【図９】第３実施形態に係る複写機における遮蔽部の構成の一例を示す概略断面図である。
【図１０】図９に示す遮蔽部による遮蔽動作時の状態を示す図である。
【図１１】第４実施形態に係る複写機の外観構成を示す斜視図である。
【図１２】図１１に示す遮蔽部におけるガード体の突出・没入駆動を説明する図であり、（ａ）は遮蔽部の概略側面図、（ｂ）は遮蔽部の駆動部の概略平面図である。
【図１３】図１１に示す遮蔽部の一変形例を示す概略側面図であり、（ａ）は駆動部の従動プーリとガード体との非接触状態を示す図、（ｂ）は駆動部の従動プーリとガード体との接触状態を示す図である。
【符号の説明】
【０１００】
１、１ａ、１ｂ、１ｃ  複写機（画像形成装置）
２  本体ハウジング
３  上ハウジング
４  用紙スタック空間部
５  用紙スタック部
２１  下ハウジング
２２  連結ハウジング
１００  画像形成部
１０１  感光体ドラム
１０５  レーザ走査ユニット
１０７  定着ローラ
１０８  用紙排出トレイ（請求項２に記載の排出トレイ）
１０９  固定トレイ
１１０、８１０  排出ローラ
１１１、１１２  搬送ローラ
１１４、８３０  分岐ガイド
１１５  排出口
２００  原稿給送部
３００  原稿読取部
５００  操作表示部
６００、６００ａ、７００、８００、９００、９００ａ  遮蔽部（遮蔽機構）
６０１  基端部（請求項３に記載の基端）
６０３  裏面空間部（請求項２に記載の裏面空間）
６０５  基端部（請求項４に記載の基端）
６０８、６３０  駆動モータ
６１０  回転トレイ（請求項３に記載の排出トレイ）
６１０ａ  回転トレイ（請求項４に記載の排出トレイ）
６２０  リフト板（カム体）
６３０  駆動モータ
６４０  ギア機構
７０３  裏面空間部（請求項５に記載の裏面空間）
７０１  基端部（請求項６に記載の基端）
７１０  回転トレイ（トレイ体）
７２０  バネ部材（請求項６に記載の付勢手段）
７３０  ソレノイド（引張駆動手段）
８２０  搬送経路
８４０  用紙排出トレイ（請求項１２に記載の排出トレイ）
８４２  空間部（請求項１２に記載の空間部）
８４３  冷却装置
８４４  ダクト
９１０、９１０ａ  ガード体
９１１、９１１ａ  板状部
９１２、９１２ａ  腕状部
９１３  ラック
９２０、９３０  駆動部
９２１、９３１  駆動シャフト
９２２  ピニオン
９２３  クラッチ
９３２  駆動プーリ
９３３  従動プーリ（回転体）
９３５  バネ部材（請求項１１に記載の付勢手段）
９４０  ソレノイド（請求項１１に記載のソレノイド）
【図１】
2006069693.tif 000003
【図２】
2006069693.tif 000004
【図３】
2006069693.tif 000005
【図４】
2006069693.tif 000006
【図５】
2006069693.tif 000007
【図６】
2006069693.tif 000008
【図７】
2006069693.tif 000009
【図８】
2006069693.tif 000010
【図９】
2006069693.tif 000011
【図１０】
2006069693.tif 000012
【図１１】
2006069693.tif 000013
【図１２】
2006069693.tif 000014
【図１３】
2006069693.tif 000015